(57)【要約】【課題】  電話機の送受話器を人体頭部を利用して支持する際に、この送受話器の形状又はサイズにかかわらず、安定した状態で使用することができるようにする。【解決手段】  バネ性を付与した材料で形成した第一Ｃ字状体１の一端にアーム部２を連結するとともに、このアーム部２にフレキシブルなベルト状の送受話器挟持体３を配設し、かつ前記第一Ｃ字状体１に対し第二Ｃ字状体４を所望角度を保持して連結した。【選択図】        図１
2005236935.tif 000002
【特許請求の範囲】
【請求項１】
バネ性を付与した材料で形成した第一Ｃ字状体の一端にアーム部を連結するとともに、このアーム部にフレキシブルなベルト状の送受話器挟持体を配設し、かつ前記第一Ｃ字状体に対し第二Ｃ字状体を所望角度を保持して連結したことを特徴とする送受話器用ホルダー。
【発明の詳細な説明】
【技術分野】
【０００１】  この発明は、電話機の送受話器を人体頭部を利用して支持する際に、この送受話器の形状又はサイズにかかわらず、安定した状態で使用することができるようにした送受話器用ホルダーに関するものである。
【背景技術】
【０００２】  一般に電話機を使用する際には、送受話器を少なくとも片手で持つ必要があり、したがって他の片手を用いて行う作業に際しては前記送受話器を使用することは可能であっても、両手を必要とする作業にあっては、この作業の中断を余儀なくされ、はなはだ不便であることは、大方の体験するところである。【０００３】  そのため例えば特開平９−９３３２１号公報に示されているように略Ｃ字状に形成した頭部支持体の一端から下方に向けた送受話器用容器を連結したものが開発されている。【０００４】  しかし前記送受話器用容器は、合成樹脂によって箱形に形成されており、かつ容易に変形しにくく形成されていた。したがって上記従来例にあっては前記容器の内部にジャストフィットするサイズ又は形状の送受話器を収納する場合は特段の問題はないが、前記容器に収納することができないサイズ又は形状の送受話器を収納することができず、一方、小さい送受話器を挿入する場合は送受話器の安定性がはなはだ悪いことになる。特にこの発明に係るホルダーは、送受話器を収納した状態で歩行するときに効果を発揮するものであることを考慮すると、この歩行中に収納した送受話器が前記容器内でガタ付き、その音が相手方にも伝わることになり、このことによって雑音として相手方に伝わればはなはだ好ましいものではないのである。
【特許文献１】特開平９−９３３２１号公報
【発明の開示】
【発明が解決しようとする課題】
【０００５】  解決しようとする課題は、前記従来例において「電話機入れ容器」と称している送受話器挟持体を、送受話器の形状又はサイズによって使用できないか又は使用できるとしても最善の状態で使用することができない点である。
【課題を解決するための手段】
【０００６】  そこでこの発明に係る送受話器用ホルダーは前記の課題を解決するために、バネ性を付与した材料で形成した第一Ｃ字状体の一端にアーム部を連結するとともに、このアーム部にフレキシブルなベルト状の送受話器挟持体を配設し、かつ前記第一Ｃ字状体に対し第二Ｃ字状体を所望角度を保持して連結したものである。
【発明の効果】
【０００７】  前記のようにこの発明に係る送受話器用ホルダーによればバネ性を付与した材料で形成した第一Ｃ字状体の一端にアーム部を連結するとともに、このアーム部にフレキシブルなベルト状の送受話器挟持体を配設し、かつ前記第一Ｃ字状体に対し第二Ｃ字状体を所望角度を保持して連結してあるので、前記フレキシブルなベルトによって、送受話器の形状又はサイズにかかわりなく最も好ましい状態で使用することができるという効果を有するのである。
【発明を実施するための最良の形態】
【０００８】  送受話器挟持体をフレキシブルなベルト状のものを使用することによって、いかなる形状又はサイズにかかわりなく使用することを実現した。
【実施例１】
【０００９】  次にこの発明に係る送受話器用ホルダーの実施例を図面に基づいて述べると、１はバネ性を付与した材料で略Ｃ字状に形成した第一Ｃ字状体であり、このＣ字状の大きさについては、一般的に人体頭部を上面において左右の耳近傍に至るような程度である。【００１０】  また前記バネ性を付与した材料とは、金属製の板バネ材それ自体、又はこの板バネ材を芯材として合成樹脂でコーティングしたもの又は合成樹脂でインサートしたものを、さらには合成樹脂製板それ自体等、種々あり得る。【００１１】  ２は前記第一Ｃ字状体１の一端に連結又は一体的に形成したアーム部であり、このアーム部２は伸縮自在に形成することもある。【００１２】  ここにおいてアーム部２を第一Ｃ字状体１に連結するとは、第一Ｃ字状体１とアーム部２を別部材で形成し、これらを接着剤又は螺子等によって一体的に連結することもあるが、あらかじめ一体成形することも可能である。【００１３】  ３はアーム２に配設した送受話器用挟持体であり、この送受話器用挟持体３はフレキシブルなベルト体によって構成してある。このベルト体はベルクロファスナーで形成することもある。いずれにしても前記フレキシブルなベルト体（送受話器用挟持体３）は、送受話器Ｔが使用中に不慮に傾いたり落下することがないように挟持固定することができればよいのである。【００１４】  しかして前記送受話器用挟持体５によって送受話器Ｔを挟持せしめ、第一Ｃ字状体１をそのバネ性を利用して人体頭部を挟むように被るとともに、第二Ｃ字状体４を後頭部側に固定する。【００１５】  尚、図中５がアーム部２に形成した孔であり、この孔５をアーム部２に形成することによって次のような効果を有するのである。すなわち、コードを有する送受話器Ｔに使用する場合は、コードの長さの範囲で行動することが可能となるが、それ以上は送受話器Ｔを搭載したまま行動することは不可能となる、したがって送受話器Ｔを頭部から外さざるをえなくなるが、前記コードの長さの範囲外で用を足す時間が長くなると、送受話器Ｔからいわゆる呼び出し音が鳴る送受話器Ｔにおいては発した呼び出し音が比較的遠くまで聞こえることになるため、注意を喚起せしめるという効果を発揮することになるのである。【００１６】  また図中６は前記アーム部２の下端に連結した紐体であり、この紐体６を前記１の他端に連結することにより、送受話器Ｔの存在によって往々にして傾く傾向にある位置ずれを阻止することができるのである。【００１７】  さらに図中７は前記１の自由端部に配設した干渉体である。この干渉体７を有しない第一Ｃ字状体１をそのままの状態で使用すると、この第一Ｃ字状体１はバネ性が付与されていることによって頭部に圧迫感が生じる可能性があるので、それを緩衝する上で好ましい。【００１８】  また８は前記アーム部２の下端をＬ字状に曲折した曲折片であり、この曲折片８に切欠部９を形成してある。このこともよって送受話器Ｔに連結されているコードを前記切欠部９に退避せしめることができ、通話中にコードが頬等に触れる違和感から解放されるという効果を有するのである。
【産業上の利用可能性】
【００１９】  送受話器挟持体をフレキシブルなベルト体とすることによってサイズ又は形状の異なる送受話器に共通して用いることができ、かつ安定した状態に挟持することができる。
【図面の簡単な説明】
【００２０】
【図１】この発明に係る送受話器用挟持ホルダーの一実施例を示す斜視図である。
【符号の説明】
【００２１】１  第一Ｃ字状体
２  アーム部
３  送受話器挟持体
４  第二Ｃ字状体
５  孔
６  紐体
７  緩衝体
８  曲折部
９  切欠部
Ｔ  送受話器
【図１】
2005236935.tif 000003